(57)【特許請求の範囲】
【請求項１】
端部外周に環状凸部が設けられたパイプと接続されるコネクタであって、
前記パイプが挿入されるパイプ挿入孔が端に形成されたコネクタ本体と、
前記コネクタ本体に対する仮止め位置から前記コネクタ本体に対する差込完了位置まで、前記コネクタ本体に押し込まれるチェッカーと、
前記コネクタ本体の内部に配置され、前記コネクタ本体に前記パイプが挿入される前、前記仮止め位置から前記差込完了位置への前記チェッカーの動きを制限するリテーナと、
を備え、
前記リテーナは下端部にリテーナ係止部を有しており、
前記コネクタ本体内の前記パイプ挿入孔側の底部には、前記リテーナ係止部が係止されるリテーナ被係止部が設けられており、
前記コネクタ本体内に前記パイプ挿入孔から前記パイプが挿入されることで、前記パイプ挿入孔側へ前記リテーナが前記リテーナ係止部を支点にして傾動し、これにより、前記仮止め位置から前記差込完了位置への前記コネクタ本体に対する前記チェッカーの押し込みが可能となることを特徴とする、コネクタ。
【請求項２】
請求項１に記載のコネクタにおいて、
前記リテーナ被係止部は被係止孔であって、
前記リテーナ係止部が前記被係止孔に嵌め込まれることで、前記コネクタ本体内の前記パイプ挿入孔側の底部に前記リテーナ係止部が係止されることを特徴とする、コネクタ。
【請求項３】
請求項１または２に記載のコネクタにおいて、
前記コネクタ本体内の前記パイプ挿入孔側とは反対側の面が、前記リテーナが持たせ掛けられる傾斜面とされていることを特徴とする、コネクタ。
【請求項４】
請求項１〜３のいずれかに記載のコネクタにおいて、
前記コネクタ本体に前記パイプが挿入される前の状態において、外力による前記リテーナの傾動を防止する板部材が前記コネクタ本体に設けられていることを特徴とする、コネクタ。
【請求項５】
請求項１〜４のいずれかに記載のコネクタにおいて、
前記リテーナは、
前記パイプが挿入されると弾性変形して押し拡がるＣ字形状の本体部と、
前記本体部の切欠き形状部の端から上方へ向かって延在する一対の脚部と、
を有し、
前記チェッカーは、
押圧部と、
前記押圧部の左右両端部から下方へ向かって延在する一対のリテーナ保持片部と、
を有し、
前記差込完了位置と前記仮止め位置との間に前記チェッカーが位置する状態で、前記パイプ挿入孔から前記パイプが抜かれようとしたときに前記一対の脚部の外側面に当接することで、前記リテーナの本体部が弾性変形して押し拡げられることを防止する凸部が前記一対のリテーナ保持片部の内側面に設けられていることを特徴とする、コネクタ。
【発明の詳細な説明】
【技術分野】
【０００１】
本発明は、燃料用配管などの配管接続に用いられ、パイプ接続が完全になされているかどうかを外部から確認するためのチェック機能を有するコネクタに関する。
【背景技術】
【０００２】
上記したチェック機能を有するコネクタとして、例えば特許文献１に記載のコネクタがある。特許文献１に記載のコネクタは、パイプのスプール部（環状凸部）により押し拡げられたリテーナが元の形状に戻るときの弾性復元力で、パイプの挿入方向とは反対方向であるパイプ挿入孔側へリテーナがスライドするように構成されており、リテーナがスライドすることで、仮止め位置から差込完了位置へのコネクタ本体に対するチェッカーの押し込みが可能となっている。
【０００３】
上記発明によれば、パイプの挿入方向とは反対方向であるパイプ挿入孔側へリテーナが移動するので、コネクタ本体内のパイプ挿入方向奥側にリテーナの収容スペースを設ける必要がない。そのため、コネクタ本体の長さ寸法を短く（コネクタ本体をコンパクト化）することができる。
【先行技術文献】
【特許文献】
【０００４】
【特許文献１】特開２０１５−４８８９８号公報
【発明の概要】
【発明が解決しようとする課題】
【０００５】
特許文献１に記載のコネクタには、次のような改善すべき課題が残されていた。リテーナの外底面の中央部には突起が設けられ、且つコネクタ本体のリテーナ収容部の底部の幅方向中央部には軸方向のほぼ端から端まで延びるガイド孔としての長孔が設けられている。この長孔にリテーナの突起が挿入された状態で、リテーナがスライド移動する。
【０００６】
ここで、コネクタ本体内にパイプが挿入されたとき、パイプの挿入方向とは反対方向へリテーナは弾性復元力でスライド移動するのであるが、このスライド移動の駆動力となる弾性復元力でリテーナがぶれることがある。リテーナがぶれると、コネクタとパイプとの接続がスムーズになされない。
【０００７】
また、リテーナの突起は、リテーナ収容部の底部に形成された上記長孔の中に挿入されているだけであるので、上下方向においては、リテーナ収容部の中でリテーナは、特に拘束されていない。そのため、例えばコネクタを輸送する際などにコネクタが振動を受けると、リテーナの突起が長孔から外れて、リテーナ収容部内でリテーナが所定の位置からずれてしまうことが懸念される。リテーナがずれて所定の位置でなくなってしまうと、コネクタ本体にパイプを挿入してもリテーナは本来の動き（スライド移動）をせず、その機能を発揮しない。
【０００８】
本発明は、上記事情に鑑みてなされたものであって、その目的は、リテーナの動きにぶれが生じにくく、且つ輸送する際などに振動を受けたとしても、リテーナが所定の位置からずれることがない構造を備えたコネクタを提供することである。
【課題を解決するための手段】
【０００９】
本発明は、端部外周に環状凸部が設けられたパイプと接続されるコネクタであって、前記パイプが挿入されるパイプ挿入孔が端に形成されたコネクタ本体と、前記コネクタ本体に対する仮止め位置から前記コネクタ本体に対する差込完了位置まで、前記コネクタ本体に押し込まれるチェッカーと、前記コネクタ本体の内部に配置され、前記コネクタ本体に前記パイプが挿入される前、前記仮止め位置から前記差込完了位置への前記チェッカーの動きを制限するリテーナと、を備えている。前記リテーナは、下端部にリテーナ係止部を有しており、前記コネクタ本体内の前記パイプ挿入孔側の底部には、前記リテーナ係止部が係止されるリテーナ被係止部が設けられている。前記コネクタ本体内に前記パイプ挿入孔から前記パイプが挿入されることで、前記パイプ挿入孔側へ前記リテーナが前記リテーナ係止部を支点にして傾動し、これにより、前記仮止め位置から前記差込完了位置への前記コネクタ本体に対する前記チェッカーの押し込みが可能となる。
【発明の効果】
【００１０】
本発明によれば、コネクタ本体内のパイプ挿入孔側の底部に設けられたリテーナ被係止部に、リテーナの下端部に設けられたリテーナ係止部が係止され、この状態でリテーナはリテーナ係止部を支点にして傾動する。リテーナがスライド移動するのと、係止された下端部を支点にしてリテーナが傾動するのとでは、リテーナが傾動する後者の場合の方が、リテーナの動きにぶれが生じにくい。また、コネクタ本体内の底部に設けられたリテーナ被係止部に、リテーナの下端部に設けられたリテーナ係止部が係止されることで、輸送する際などに振動を受けたとしても、リテーナ被係止部からリテーナ係止部が外れない限り、リテーナが所定の位置からずれてしまうことはない。
【図面の簡単な説明】
【００１１】
【図１】本発明の一実施形態に係るコネクタの斜視図である。
【図２】図１とは別の方向から視たときのコネクタの斜視図である。
【図３】図１，２に示すコネクタ本体の単品図である。
【図４】図１，２に示すチェッカーの単品図である。
【図５】図１，２に示すリテーナの単品図である。
【図６】図１，２に示すコネクタにパイプを接続するときの各状態を示す側面（断面）図である。
【図７】図１，２に示すコネクタにパイプを接続するときの各状態を示す（チェッカーの図示を省略した）平面図である（なお、図７（ｃ）のＣ−Ｃ断面図についてはチェッカーの一部を図示している）。
【図８】図１，２に示すコネクタからパイプを抜き取るときのチェッカーとリテーナとの相互の位置関係を示す正面図である。
【発明を実施するための形態】
【００１２】
以下、本発明を実施するための形態について図面を参照しつつ説明する。
【００１３】
（コネクタの構成）
図１に示すように、本発明の一実施形態であるコネクタ１００は、コネクタ本体１と、チェッカー２と、リテーナ３とで構成される。このコネクタ１００は、燃料用配管などの配管接続に用いられる配管継手である。
【００１４】
<コネクタ本体>
主として、図１〜３を参照しつつコネクタ本体１について説明する。コネクタ本体１は、コネクタ１００の主要部品であって、リテーナ収容部６が端部に形成されたパイプ挿入部４と、パイプ挿入部４から延在するホース接続部５とを備えている。本実施形態のコネクタ本体１は、Ｌ字状とされている。換言すれば、パイプ挿入部４の軸方向と、ホース接続部５の軸方向とが直交するようにされている。なお、パイプ挿入部４の軸方向とホース接続部５の軸方向との関係は、直交に限定されるものではなく、例えば、パイプ挿入部４とホース接続部５とを一軸上に配置してもよい。コネクタ本体１の材質は、例えば樹脂である。
【００１５】
リテーナ収容部６は、中空の、丸みを有する直方体形状とされており、その前面には、パイプ５０が挿入されるパイプ挿入孔１ａが設けられ、その上端部は平面視で矩形状の開口６ｅとされている。この開口６ｅ部分には、上端部内壁面からパイプ５０の挿入方向へ向かって突出する突起６ａが設けられている。また、リテーナ収容部６の底部（コネクタ本体１内のパイプ挿入孔１ａ側の底部）には、リテーナ被係止部としての被係止孔６ｄがあけられている。なお、前記した突起６ａの先端部は、平面視において、被係止孔６ｄの中心よりも奥側（パイプ挿入部４側）に配置されている（図３中の平面図参照）。
【００１６】
被係止孔６ｄは、後述するリテーナ３の下端部に設けられたリテーナ係止部１３が嵌め込まれる孔である。リテーナ３が傾動し易いように少し遊びを持たせるため、被係止孔６ｄは、真円ではなく長孔とされている。被係止孔６ｄの形状および寸法について、図６（ａ）、および図７（ｃ）の右図（Ｃ−Ｃ断面図）を参照しつつ詳述する。図７（ｃ）の右図に示すように、被係止孔６ｄの幅方向の両内壁面は、下方に向かうに連れて拡がる傾斜面Ｓ１とされており、リテーナ収容部６の内底面部分である最も幅が狭い箇所の幅寸法Ｗ１は、リテーナ係止部１３の外径寸法（図５に示すＷ２）よりも小さくされている。図６（ａ）に示すように、被係止孔６ｄの長手方向におけるパイプ挿入孔１ａ側とは反対側の内壁面は、下方に向かうに連れて拡がる傾斜面Ｓ２とされている。なお、パイプ挿入孔１ａ側の内壁面は、真っ直ぐ下に延びる傾斜のない面とされている。また、被係止孔６ｄの厚み（リテーナ収容部６の底壁の厚み）は、リテーナ収容部６の外底面からリテーナ係止部１３が突出しない厚みとされている。
【００１７】
リテーナ収容部６の内壁面のうちのパイプ挿入孔１ａ側とは反対側の面の上部は、リテーナ３が持たせ掛けられる傾斜面６ｆとされている（図３中の平面図、図６（ａ）、図７（ａ）参照）。
【００１８】
リテーナ収容部６の前面壁のうちの上部部分６ｇ（図１参照）、すなわちパイプ挿入孔１ａの上部分６ｇは、パイプ挿入孔１ａの輪郭に沿うアーチ形状（円弧形状）とされており、これにより当該部分の強度が高められている。
【００１９】
リテーナ収容部６の背面であって、円筒状のパイプ挿入部４の上部両側、および上部両側の少し下方には、それぞれ、左右一対のチェッカー被係止部６ｂ、および左右一対のチェッカー被係止部６ｃが設けられている。これらチェッカー被係止部６ｂ，６ｃは、後述するチェッカー２の係止爪９ａ（図４参照）が係止される部分である。
【００２０】
また、そのすぐ後ろ側には、左右一対の所定高さの板部材１４（プレート）が設けられている（例えば図２参照）。
【００２１】
ホース接続部５の内部には流体の経路５ａが設けられており、このホース接続部５に図示を省略するホースが外挿される。
【００２２】
<チェッカー>
図１、２、４を参照しつつチェッカー２について説明する。チェッカー２は、コネクタ本体１へのパイプ５０の接続が完全になされているかどうかを外部から確認するための役割を有する部品であって、コネクタ本体１に対する仮止め位置からコネクタ本体１に対する差込完了位置までコネクタ本体１に押し込まれる。詳しくは後述するが、仮止め位置および差込完了位置については、図６を参照されたい。
【００２３】
チェッカー２は、人の指で押される矩形の押圧部７と、押圧部７の左右両端部から下方へ向かって延在するように形成されたコネクタ本体１への係止脚部９と、係止脚部９と同様に押圧部７の左右両端部から下方へ向かって延在するように形成されたリテーナ保持片部８とを備えている。また、押圧部７の下面には、後述するリテーナ３の脚部１２の当接部１０が突設されている。チェッカー２の材質は、例えば樹脂である。
【００２４】
係止脚部９の先端は、コネクタ本体１に設けられたチェッカー被係止部６ｂ，６ｃへの引っ掛かり部となる係止爪９ａとされている。また、リテーナ保持片部８の先端から中央部へかけては、後述するリテーナ３の本体部１１をその両側から挟むような形態で保持するリテーナ保持部８ａとされている。具体的には、対向するリテーナ保持部８ａの対向する面の形状は、リテーナ３の本体部１１の外形に合わせられている。換言すれば、リテーナ保持部８ａの対向する面は、リテーナ３の本体部１１の外面に接触するような湾曲面とされている。また、リテーナ保持片部８の内側面のうちのリテーナ保持部８ａの上方部分には、リテーナ３の脚部１２の外側面に当接することで、リテーナ３の本体部１１が押し拡げられることを防止するためのリブ８ｂ（凸部）が設けられている。
【００２５】
<リテーナ>
図１、２、５を参照しつつリテーナ３について説明する。リテーナ３は、コネクタ本体１のリテーナ収容部６の内部に配置され（図１など参照）、コネクタ本体１にパイプ５０が挿入される前、コネクタ本体１に対するチェッカー２の仮止め位置から差込完了位置へのチェッカー２の動きを制限する部品である。
【００２６】
リテーナ３は、パイプ５０が挿入されると弾性変形して押し拡がるＣ字形状の本体部１１と、本体部１１の切欠き形状部の端から上方（外側）へ向かって延在する一対の脚部１２とを備えている。リテーナ３の材質は、例えば樹脂または金属である。
【００２７】
上記したように、Ｃ字形状の本体部１１は弾性変形するように形成される。この本体部１１の互いに対向する内側面（内側部分）には、それぞれ、中心方向に少し突出する形態で山形状部１１ａが設けられている。また、本体部１１の内底面（内側部分）の中央部にも、中心方向に少し突出する形態で山形状部１１ｂが設けられている。さらに、本体部１１の外底面の中央部には、下方（外方向）に突出し、先端が拡径部とされたリテーナ係止部１３が設けられている。このリテーナ係止部１３は、リテーナ３の平面視において、２本の脚部１２の間隙の真ん中に位置する。また、図５中のリテーナ３の正面図からわかるように、リテーナ３の正面視において、リテーナ係止部１３が突出する方向と、脚部１２が延びる方向とは、１８０度反対方向とされている。また、リテーナ３は、左右対称かつ表裏対称の形状とされ、２本の脚部１２は相互に平行とされている。
【００２８】
（コネクタにパイプを接続するときのコネクタの各部品の動き）
主として、図６、７を参照しつつ、コネクタ１００にパイプ５０を接続するときのコネクタ１００の各部品の動きについて説明する。なお、前提として、コネクタ１００に接続されるパイプ５０の端部外周にはスプール部５０ａ（環状凸部）が設けられている。
【００２９】
<パイプ挿入前>
コネクタ本体１にパイプ５０が挿入される前は、図６（ａ）に示したように、チェッカー２は、コネクタ本体１のリテーナ収容部６から上方へ突出した状態で、コネクタ本体１に仮止めされている。チェッカー２の係止脚部９先端の係止爪９ａがコネクタ本体１に設けられたチェッカー被係止部６ｂに引っ掛かり（図１参照）、図６（ａ）に示した仮止め位置で、チェッカー２はコネクタ本体１に係止されている。
【００３０】
チェッカー２の仮止めについて説明する。コネクタ本体１のリテーナ収容部６にその上方からチェッカー２の左右一対のリテーナ保持片部８を挿入すると、その背後に位置するチェッカー２の左右一対の係止脚部９は、コネクタ本体１に当たって外側に拡がり（弾性変形し）、その後、係止爪９ａがコネクタ本体１に設けられたチェッカー被係止部６ｂに嵌り込む。これにより、コネクタ本体１からチェッカー２が簡単には抜けないようになる。
【００３１】
リテーナ３は、その下端部のリテーナ係止部１３がリテーナ収容部６の底部にあけられた被係止孔６ｄに嵌め込まれており、リテーナ収容部６の傾斜面６ｆに持たせ掛けられた状態となっている。リテーナ３の２本の脚部１２のすぐ近くの手前側（パイプ挿入孔１ａ側）にリテーナ収容部６に設けられた突起６ａが位置する。この突起６ａにより、パイプ挿入孔１ａ側にリテーナ３が傾動することがないようにされている。
【００３２】
このとき、リテーナ３の２本の脚部１２の上方にチェッカー２の当接部１０が位置するようになっているので、コネクタ本体１に対してチェッカー２を押し込もうとしても、チェッカー２の当接部１０の下面がリテーナ３の２本の脚部１２の上端に当たり、それ以上、コネクタ本体１に対してチェッカー２を押し込むことはできない（図６（ａ）参照）。
【００３３】
コネクタ本体１に設けられた前記した左右一対の板部材１４は、チェッカー２の左右一対の係止脚部９の間の隙間（図２参照）から指が入り、リテーナ３の２本の脚部１２を指で押してしまって、リテーナ３をパイプ挿入孔１ａ側に傾動させてしまうなどの誤傾動を起こさないようにするためのものである。
【００３４】
なお、図１、２に示したリテーナ収容部６内のリテーナ３の位置は、コネクタ本体１に図示を省略するパイプ５０が奥まで挿入された後の状態（傾動後の状態）を示している。
【００３５】
<パイプ挿入>
コネクタ本体１内にパイプ挿入孔１ａからパイプ５０を挿入する。パイプ５０を挿入していくと、パイプ５０のスプール部５０ａが、リテーナ３の本体部１１の山形状部１１ａのうちのパイプ挿入孔１ａ側の斜面に当たる。その後、さらにパイプ５０を挿入していくと、スプール部５０ａが山形状部１１ａを押し拡げることで、本体部１１が拡げられる。これにより、リテーナ３の２本の脚部１２も拡がり、リテーナ収容部６に設けられた突起６ａによるパイプ挿入孔１ａ側へのリテーナ３の傾動制限が解除される（図７（ｂ）参照）。
【００３６】
パイプ５０をさらに挿入していくと（パイプ５０をパイプ挿入部４内の奥まで完全に押し込むと）、パイプ５０のスプール部５０ａがリテーナ３の本体部１１の山形状部１１ａの頂部を超え、当該山形状部１１ａの反対側の斜面がスプール部５０ａで押されるのと、リテーナ３の本体部１１の弾性復元力による反発力とで、リテーナ３は、パイプ５０の挿入方向とは反対方向であるパイプ挿入孔１ａ側へ、リテーナ係止部１３を支点にして傾動する（図６（ｂ）および図７（ｃ）参照）。これにより、チェッカー２の当接部１０の下方空間からリテーナ３の脚部１２が外れて、コネクタ本体１に対するチェッカー２の押し込みが可能となる。
【００３７】
その後、チェッカー２の押圧部７を指で押すことで、コネクタ本体１に対してチェッカー２を押し込む。チェッカー２を押し込むと、チェッカー２の左右一対の係止脚部９先端の係止爪９ａがコネクタ本体１に設けられた被係止部６ｃに嵌り込み、これにより、チェッカー２はコネクタ本体１に係止される（図６（ｃ）参照）。このときのコネクタ本体１に対するチェッカー２の位置が、コネクタ本体１に対するチェッカー２の差込完了位置である（コネクタ１００とパイプ５０との接続完了）。
【００３８】
このとき、リテーナ３の本体部１１は、チェッカー２の左右一対のリテーナ保持片部８のリテーナ保持部８ａでその両側から挟み込まれる形態で、チェッカー２により保持される（図７（ｃ）のＣ−Ｃ断面図参照）。
【００３９】
なお、図３、６において図示を省略しているが、コネクタ本体１のパイプ挿入部４内には、Ｏリングなどのシール部材が入れられている。すなわち、例えば図６（ｂ）、（ｃ）において、パイプ５０とパイプ挿入部４の外壁との間には、Ｏリングなどのシール部材がある。このシール部材により燃料などの液体が漏れないようにされている。
【００４０】
（コネクタからパイプを抜き取るとき）
例えば、二輪車においてメンテナンスや修理などを行う際に、ガソリンタンクを取り外すことがある。このような際には、コネクタ１００に接続されたパイプ５０をコネクタ１００から一旦抜き取り、その後、パイプ５０をコネクタ１００に接続しなおす、すなわち、コネクタ１００を再利用することがある。図８は、このときのチェッカー２とリテーナ３との相互の位置関係を示す正面図である（コネクタ本体１の図示は省略）。
【００４１】
コネクタ１００からパイプ５０を抜き取るときは、図８（ａ）に示す差込完了位置から、図８（ｃ）に示す仮止め位置までチェッカー２を上げてから、パイプ５０をコネクタ本体１から抜き取る。パイプ５０を抜いていく過程で、パイプ５０のスプール部５０ａが、リテーナ３の本体部１１の山形状部１１ａのうちの奥側（パイプ挿入部４）の斜面を押して、Ｃ字形状の本体部１１が押し拡げられる。これにより、リテーナ３の２本の脚部１２も拡がり、リテーナ収容部６に設けられた突起６ａを脚部１２が乗り越えられるようになる。パイプ５０をさらに抜いていくと、パイプ５０のスプール部５０ａで山形状部１１ａの上記とは反対側の斜面が押されるのと、リテーナ３の本体部１１の弾性復元力による反発力とで、リテーナ３は、パイプ５０の引き抜き方向とは反対方向へリテーナ係止部１３を支点にして傾動する。これにより、リテーナ３は、図６（ａ）に示すパイプ５０挿入前の姿勢（傾斜面６ｆに持たせ掛けられた状態）に戻る。
【００４２】
しかし、仮に、リテーナ保持片部８に前記したリブ８ｂが設けられておらず、且つ、仮止め位置までチェッカー２を完全に上げきる前の状態、すなわち、差込完了位置と仮止め位置との間にチェッカー２が位置する図８（ｂ）に示す中間位置状態で、作業者が誤ってパイプ５０を抜こうとすると、リテーナ３の２本の脚部１２は拡がる方向への制限がないので、正規の時よりも少し大きな引抜力が加えられればＣ字形状の本体部１１が押し拡げられてパイプ５０は抜けてしまう。このとき、リテーナ３の脚部１２の上部がチェッカー２の押圧部７の下部部分と干渉して傾動することができず、リテーナ３は図６（ａ）に示すパイプ５０挿入前の姿勢に戻っていないため、チェッカー２がコネクタ本体１に簡単に押し込まれる状態となる（パイプ５０挿入確認のチェック機能が機能しない状態となる）。
【００４３】
これに対して、本実施形態のチェッカー２では、リテーナ保持片部８に前記したリブ８ｂが設けられているので、図８（ｂ）に示す中間位置にチェッカー２が位置する状態でコネクタ１００からパイプ５０を抜こうとしたとき、拡がろうとするリテーナ３の２本の脚部１２の外側面にリブ８ｂが当たるので、Ｃ字形状の本体部１１はパイプ５０が抜ける状態となるまで押し拡げられない。そのため、パイプ５０を強引に抜こうとしてもパイプ５０が抜けることはない。
【００４４】
（作用・効果）
本発明の一実施形態に係るコネクタ１００の構成およびその各部品の動きを説明したことからわかるように、本発明によれば、コネクタ本体１内のパイプ挿入孔１ａ側の底部に設けられたリテーナ被係止部（被係止孔６ｄ）に、リテーナ３の下端部に設けられたリテーナ係止部１３が係止され、この状態でリテーナ３はリテーナ係止部１３を支点にして傾動する。特許文献１に記載のように、特に拘束されていないリテーナがスライド移動するのと、本発明のように係止された下端部を支点にしてリテーナ３が傾動するのとでは、リテーナ３が傾動する後者の場合の方が、リテーナの動きにぶれが生じにくい。また、コネクタ本体１内の底部に設けられたリテーナ被係止部（被係止孔６ｄ）に、リテーナ３の下端部に設けられたリテーナ係止部１３が係止されていることで、輸送する際などに振動を受けたとしても、リテーナ被係止部（被係止孔６ｄ）からリテーナ係止部１３が外れない限り、リテーナ３が所定の位置からずれてしまうことはない。
【００４５】
ここで、本実施形態のように、リテーナ被係止部は被係止孔６ｄであって、リテーナ係止部１３が被係止孔６ｄに嵌め込まれることで、コネクタ本体１内のパイプ挿入孔１ａ側の底部にリテーナ係止部１３が係止されることが好ましい。この構成によると、簡易な構成で、コネクタ本体１内の底部に傾動可能な状態でリテーナ３を係止することができる。
【００４６】
本実施形態では、被係止孔６ｄの厚み（リテーナ収容部６の底壁の厚み）は、リテーナ収容部６（コネクタ本体１）の外底面からリテーナ係止部１３が突出しない厚みとされている。この構成によると、リテーナ係止部１３に指などが干渉することを防止できるので、リテーナ３の傾動が安定する。
【００４７】
また、本実施形態のように、コネクタ本体１内のパイプ挿入孔１ａ側とは反対側の面が、リテーナ３が持たせ掛けられる傾斜面６ｆとされていることが好ましい。この構成によると、傾斜面６ｆ部分に傾斜が無い場合に比べて、パイプ５０挿入前のリテーナ３が少し倒れた状態を安定して保持することができる。また、リテーナ収容部６（コネクタ本体１）のパイプ５０挿入・抜き取り方向の長さ寸法を短くすることができる。
【００４８】
また、本実施形態のように、コネクタ本体１にパイプ５０が挿入される前の状態において、外力（例えば、作業者が誤って指で押す力）によるリテーナ３の傾動を防止する板部材１４がコネクタ本体１に設けられていることが好ましい。指などで押して、パイプ５０挿入前に意図せずリテーナ３が傾動してしまうと、チェッカー２がコネクタ本体１に簡単に押し込まれる状態となり、パイプ５０挿入確認のチェック機能が損なわれるが、上記構成によると、パイプ５０挿入前の外力によるリテーナ３の誤傾動を防止することができるので、パイプ５０挿入確認のチェック機能が損なわれることを防止することができる。なお、板部材１４は、チェッカー２を解除するための工具（マイナスドライバなど）を挿入できるほどの隙間が設けられていることが好ましい。
【００４９】
また、本実施形態のように、リテーナ３は、パイプ５０が挿入されると弾性変形して押し拡がるＣ字形状の本体部１１と、本体部１１の切欠き形状部の端から上方へ向かって延在する一対の脚部１２とを有し、チェッカー２は、押圧部７と、押圧部７の左右両端部から下方へ向かって延在する一対のリテーナ保持片部８とを有し、差込完了位置と仮止め位置との間にチェッカー２が位置する状態でパイプ挿入孔１ａからパイプ５０が抜かれようとしたときに一対の脚部１２の外側面に当接することで、リテーナ３の本体部１１が押し拡げられることを防止する凸部（リブ８ｂ）が、一対のリテーナ保持片部８の内側面に設けられていることが好ましい。この構成によると、パイプ５０を抜き取るときの正規な位置（仮止め位置）にチェッカー２が位置しないときは、コネクタからパイプ５０を抜き取ることを防止することができる。
【００５０】
（変形例）
上記の実施形態は、次のように変更可能である。
リテーナ３の傾動の妨げとならないのであれば、被係止孔６ｄは長孔ではなく真円であってもよい。
【００５１】
本実施形態のような先端が拡径部とされたリテーナ係止部１３とすることに代えて、フック形状のリテーナ係止部とし、リテーナ被係止部に関しては、このフック形状のリテーナ係止部が係止される棒状のリテーナ被係止部とされてもよい。
【００５２】
その他に、当業者が想定できる範囲で種々の変更を行えることは勿論である。
【符号の説明】
【００５３】
１：コネクタ本体
１ａ：パイプ挿入孔
２：チェッカー
３：リテーナ
６ｄ：被係止孔（リテーナ被係止部）
６ｆ：傾斜面
７：押圧部
８：リテーナ保持片部
８ｂ：リブ（凸部）
１１：本体部
１２：脚部
１３：リテーナ係止部
１４：板部材
５０：パイプ
５０ａ：スプール部（環状凸部）
１００：コネクタ
【要約】
【課題】リテーナの動きにぶれが生じにくく、且つ輸送する際などに振動を受けたとしても、リテーナが所定の位置からずれることがない構造を備えたコネクタを提供すること。
【解決手段】コネクタ１００は、コネクタ本体１とチェッカー２とリテーナ３とを備えている。リテーナ３は、下端部にリテーナ係止部１３を有しており、コネクタ本体１内のパイプ挿入孔１ａ側の底部には、リテーナ係止部１３が係止される被係止孔６ｄ（リテーナ被係止部）が設けられている。コネクタ本体１内にパイプ挿入孔１ａからパイプ５０が挿入されることで、パイプ挿入孔１ａ側へリテーナ３がリテーナ係止部１３を支点にして傾動し、これにより、仮止め位置から差込完了位置へのコネクタ本体１に対するチェッカー２の押し込みが可能となる。
【選択図】図６【図１】
0005885372.tif 000002
【図２】
0005885372.tif 000003
【図３】
0005885372.tif 000004
【図４】
0005885372.tif 000005
【図５】
0005885372.tif 000006
【図６】
0005885372.tif 000007
【図７】
0005885372.tif 000008
【図８】
0005885372.tif 000009